【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  両面に印刷された紙のシートであって各シートがｎ行及びｍ列で配設された別個の印刷済み要素を有するシートを処理するための装置であって、
シート順次供給機器と、移送手段と、上記シートを処理するための手段と、該シートを少なくとも二つの別個のスタックに分離する手段とを具備する装置において、
上記シートを処理するための手段は、直列的に配設された、シートの印刷品質を検査するための第一品質検査手段と、該第一品質検査手段の下流側に配置されて該第一品質検査手段を通る通路に追従するシートの印刷済み要素に番号を付ける印刷手段と、上記印刷手段の下流側に配置されて上記印刷済み要素の番号を検査する第二印刷品質検査手段と、上記第二品質検査手段の下流側に配置されて上記第一及び第二品質検査手段の一つによって基準を満たしていないとみなされたシートにマークを付けるためのマーク手段とをさらに具備することを特徴とする装置。
【請求項２】  当該装置は、基準を満たしていないシートにマークが付けられていることを確証するための機器を更に有することを特徴とする請求項１に記載の装置。
【請求項３】  上記シートは有価用紙のシートであることを特徴とする請求項１または２に記載の装置。
【請求項４】  上記印刷手段はシートの印刷済み要素に番号を付ける複数の番号付け装置を具備し、上記第一品質検査手段による印刷品質の検査において全ての印刷済み要素が基準を満たしているとみなされたシートの印刷済み要素上に上記番号付け装置によって順々に番号付けが行われ、該番号付け装置は基準を満たしていないとみなされたシートの通過時には作動が停止せしめられることを特徴とする請求項１に記載の装置。
【請求項５】  上記印刷手段はシートの印刷済み要素に番号を付ける複数の電子式番号付け装置を具備し、上記第一品質検査手段による印刷品質の検査において基準を満たしているとみなされた印刷済み要素上に上記電子式番号付け装置によって番号付けが順々に行われ、基準を満たしていないとみなされた印刷済み要素は上記電子式番号付け装置によって特別マークが付けられることを特徴とする請求項１に記載の装置。
【請求項６】  上記第一品質検査手段はシートの各面における反射によって及び透過によって各シートの印刷品質を検査するように形成された光電子装置を具備することを特徴とする請求項１〜５のいずれか一つに記載の装置。
【請求項７】  上記第一品質検査手段は、シート上に設けられた肉眼で視認不可能な要素の存在および品質を検査するための光電子手段を具備することを特徴とする請求項１〜６のいずれか一つに記載の装置。
【請求項８】  上記第一品質検査手段は、第一回転軸線周りで回転する第一グループの回転式シート把持部材と、上記第一回転軸線と平行な第二回転軸線周りで回転する第二グループの回転式シート把持部材と具備し、上記第一及び第二グループの回転式シート把持部材の回転は同期しつつ反対向きであり、第一グループの回転式シート把持部材から第二グループの回転式シート把持部材へのシートの移動は各シートがほぼＳ字状の通路を辿るように上記回転式シート把持部材によって表される円形通路の接線に沿って行われ、シートの各側面が連続して第一及び第二反射式光電子検査装置に対面し、第一反射式光電子検査装置は上記第一回転軸線回りのシートが移動する円形通路内に配置され、第二反射式光電子検査手段は上記第二回転軸線回りのシートが移動する円形通路内に配置され、透過式光電子検査装置が上記円形通路の一方の内側に配置されることを特徴とする請求項１〜７のいずれか一つに記載の装置。
【請求項９】  上記第一品質検査手段はスタンドを具備し、上記回転式シート把持部材は上記スタンドの第一壁に支持され、該第一壁は第一及び第二回転軸線に対して垂直であり、上記第一及び第二反射式光電子品質検査装置及び上記透過式光電子品質検査装置は第一の壁と平行であって反対側にある移動可能な壁要素によって支持され、上記移動可能な壁要素には、上記第一及び第二回転軸線と平行に上記移動可能な壁要素を移動させてメンテナンス及び交換ができるように上記第一及び第二反射式光電子品質検査装置及び透過式光電子品質検査装置を完全に解放する手段が設けられることを特徴とする請求項８に記載の装置。
【請求項１０】  上記第一品質検査手段は、二つの交換可能且つ移動可能な壁要素を有し、各壁要素には上記第一及び第二反射式光電子品質検査装置及び透過式光電子品質検査装置の少なくともいずれか一つが設けられることを特徴とする請求項９に記載の装置。
【請求項１１】  上記第一品質検査手段は第一シート移送ドラムの外側に向かって配置されるシートの第一の側の印刷品質を検査する第一反射式光電子品質検査装置と、第一シート移送ドラムの下流側に配置された第二シート搬送ドラムの外側に向かって配置されるシートの第二の側の印刷品質を検査する第二反射式光電子品質検査装置とを具備する請求項１〜７のいずれか一つに記載の装置。
【請求項１２】  上記印刷手段はサイン及び／又は日付を含む付加的要素を印刷するユニットを更に具備する請求項１〜１１のいずれか一つに記載の装置。
【請求項１３】  請求項１〜１２のいずれか一つに記載の装置を作動させる方法であって、上記第一品質検査手段の下流側に配置された印刷手段は、シートの品質検査のみのために当該装置が使用されるように作動が停止せしめられることを特徴とする方法。
【請求項１４】  請求項１〜１２のいずれか一つに記載の装置を作動させる方法であって、上記第一品質検査手段はシートの印刷済み要素に番号を付けることのみのために上記装置が使用されるように作動が停止せしめられることを特徴とする方法。
【手続補正２】
【補正対象書類名】明細書
【補正対象項目名】００４０
【補正方法】変更
【補正の内容】
【００４０】
特に銀行券の印刷品質を検査するための機器に関して、上述した構成とは別の構成を有する本発明の装置について簡単に説明する。この装置は、印刷済みシート供給機器１３１と、各面の反射および透過によって銀行券の品質を検査するための機器にシートを供給する二つの移送ローラ１３２とを有する。
【手続補正３】
【補正対象書類名】明細書
【補正対象項目名】００４１
【補正方法】変更
【補正の内容】
【００４１】
上記銀行券の品質を検査するための機器は二つのドラム１３４および１４０から形成されている。ドラム１３４の一方の側には、反射によって品質を検査するための光電子機器１０８がある。この機器は、ローラ１３４の外部に載置され、シートの一方の面を検査する。ローラ１４０の外部に載置された同様な機器１３７は、シートの他方の面を検査し、この場合シートはＳ字状通路に沿って移動する。その後、シートは移送ローラ１９９を介して二つのローラ１９８および１９７から形成される移送機器まで移り、これら二つのローラ１９８、１９７はコンベアベルトタイプまたはチェーンタイプの移送機器１９６を駆動し、シートが透過式検査機器１３５を通過することができるようにする。本ケースでは、透過によってシートの両面の印刷品質を検査するための機器は、上記装置に使用されたものよりも水平方向により大きな空間を占有する機器によって形成される。その後、シートは、移送ローラ１４１を介して、上述したようにサイン、日付等のような要素を印刷するための機器１４５から成る印刷機器まで通過し、その後、機器１４３および１４４によって番号付けするためにシートが印刷ローラ１４２を通過する。この印刷装置は上述した装置のものと非常に類似している。この機器には印刷の品質を検査するための機器も設けられるが、図中には示していない。その後、チェーン式移送機器１１８は、基準を満たしていないシートにマークを付け且つこれらシートにマークが付けられたことを確証するための機器１１９、１２０にシートを導く。その後、シートは基準を満たすとみなされればスタック１２２、１２３内に蓄積され、基準を満たさないとみなされれば機器１２１に向かって排出される。
【手続補正４】
【補正対象書類名】明細書
【補正対象項目名】００４２
【補正方法】変更
【補正の内容】
【００４２】
この装置の場合、肉眼で視認不可能な要素を確証するための光電子機器を設けることができる。
【手続補正５】
【補正対象書類名】明細書
【補正対象項目名】００４４
【補正方法】変更
【補正の内容】
【００４４】
この場合、機器１３７、１０８、１３５によって行われる品質検査が或る臨界値を満たさなければならない場合、これら機器を支持する可動壁が設けられていない事を除いて、これら機器は、上記装置の場合のように、適切な機器に交換されなければならない。
【手続補正６】
【補正対象書類名】図面
【補正対象項目名】図５
【補正方法】変更
【補正の内容】
【図５】
2003532563.tif 000001